(57)【特許請求の範囲】
【請求項１】
軸筒内に、筆記体を弾性材により軸筒後端方向に弾発して収納し、該筆記体の後端部に、軸筒の後端開口部より外方へ突出したノック体への押圧動作により筆記体の筆記部を軸筒先端開口部より突出状態を維持可能な筆記体出没装置を有したノック式筆記具において、前記クリップ片の脚部に係合穴を形成して、前記ノック体の外周面上に回動可能に遊嵌し、ノック体の押圧動作に従って、前後方向に摺動する摺動部材の外周面に、軸芯に沿って前後に延びた螺旋溝を設け、クリップ片の脚部に前記螺旋溝に遊嵌可能な突起を設け、該突起を螺旋溝に係合してノック体の押圧動作により螺旋溝に沿って前記クリップ片を回動可能に配設すると共に、クリップ片が回動した位置に、クリップ片の先端部を布地等が進入できないように隠蔽する、隠蔽手段を施したことを特徴とするノック式筆記具。
【請求項２】
軸筒内に、筆記体を弾性材により軸筒後端方向に弾発して収納し、該筆記体の後端部に、軸筒の後端開口部より外方へ突出したノック体への押圧動作により筆記体の筆記部を軸筒先端開口部より突出状態を維持可能な筆記体出没装置を有したノック式筆記具において、前記クリップ片の脚部に係合穴を形成して、前記ノック体の外周面上に回動可能に遊嵌し、ノック体の押圧動作に従って、前後方向に摺動する摺動部材の外周面に、軸芯に沿って前後に延びた螺旋溝を設け、クリップ片の脚部に前記螺旋溝に遊嵌可能な突起を設け、該突起を螺旋溝に係合してノック体の押圧動作により螺旋溝に沿って前記クリップ片を回動可能に配設すると共に、クリップ片が回動した位置に、クリップ片が持ち上がらないように、クリップ片を収納する収納部を設けたことを特徴とするノック式筆記具。
【請求項３】
前記螺旋溝が端部において軸芯方向に沿って延びたストレ−ト部を有することを特徴とする請求項１または２に記載のノック式筆記具。
【請求項４】
前記摺動部材を、軸筒の中心線に対し偏心させた位置に配設したことを特徴とする請求項１、２または３に記載のノック式筆記具。
【請求項５】
前記軸筒を異形にしたことを特徴とする請求項１、２、３または４に記載のノック式筆記具。
【発明の詳細な説明】
【０００１】
【発明の属する技術分野】
本発明は、軸筒内に収納した筆記体を、軸筒の後端開口部より外方へ突出した筆記体出没装置のノック体を押圧させることにより、筆記体の筆記部を軸筒先端開口部より突出状態を維持可能な筆記体出没装置を有したノック式筆記具に関し、さらに詳しくは、筆記部を突出したままポケット等に止着して衣服を汚損しないようなセ−フティ機構を備えたノック式筆記具に関する。
【０００２】
【従来の技術】
軸筒の後端開口部より外方へ突出したノック体への押圧動作により筆記体の筆記部を軸筒先端開口部より突出状態を維持可能な筆記体出没装置を有したノック式筆記具において、筆記部を突出したまま衣服等に止着するとインキが滲み出てしまい衣服を汚損してしまう。そのため、低粘性や剪断減粘性インキを用いた筆記具ではキャップ式が主であった。しかし、現状において、ノック式筆記具として一般的なカム溝や回転カムによるカム機構型ノック式筆記具や、係止用突起を係止させる係止突起型ノック式筆記具による低粘性や剪断減粘性インクを筆記体に収蔵したノック式筆記具が所望されている。
【０００３】
【発明が解決しようとする課題】
本発明の目的は、上記したように、カム機構や係止突起等の特定した筆記体出没装置のみに備えることができるのではなく、あらゆる筆記体出没装置に利用できる、筆記部が突出したままポケット等への止着を防止するためのセ−フティ機構を備えた、ノック式筆記具を提供することである。
【０００４】
【課題を解決するための手段】
また、前記目的を達成するために本発明の構成では、軸筒内に、筆記体を弾性材により軸筒後端方向に弾発して収納し、該筆記体の後端部に、軸筒の後端開口部より外方へ突出したノック体への押圧動作により筆記体の筆記部を軸筒先端開口部より突出状態を維持可能な筆記体出没装置を有したノック式筆記具において、前記クリップ片の脚部に係合穴を形成して、前記ノック体の外周面上に回動可能に遊嵌し、ノック体の押圧動作に従って、前後方向に摺動する摺動部材の外周面に、軸芯に沿って前後に延びた螺旋溝を設け、クリップ片の脚部に前記螺旋溝に遊嵌可能な突起を設け、該突起を螺旋溝に係合してノック体の押圧動作により螺旋溝に沿って前記クリップ片を回動可能に配設すると共に、クリップ片が回動した位置に、クリップ片の先端部を布地等が進入できないように隠蔽する、隠蔽手段を施した構造とする。
【０００５】
または、軸筒内に、筆記体を弾性材により軸筒後端方向に弾発して収納し、該筆記体の後端部に、軸筒の後端開口部より外方へ突出したノック体への押圧動作により筆記体の筆記部を軸筒先端開口部より突出状態を維持可能な筆記体出没装置を有したノック式筆記具において、前記クリップ片の脚部に係合穴を形成して、前記ノック体の外周面上に回動可能に遊嵌し、ノック体の押圧動作に従って、前後方向に摺動する摺動部材の外周面に、軸芯に沿って前後に延びた螺旋溝を設け、クリップ片の脚部に前記螺旋溝に遊嵌可能な突起を設け、該突起を螺旋溝に係合してノック体の押圧動作により螺旋溝に沿って前記クリップ片を回動可能に配設すると共に、クリップ片が回動した位置に、クリップ片が持ち上がらないように、クリップ片を収納する収納部を設けた構造とする。
【０００６】
【発明の実施の形態】
本発明は、ノック式筆記具における筆記体と連動した、軸筒の後端開口部より外方へ突出したノック体への押圧作動に従って、前後方向に摺動する摺動部材の外周面に軸芯に沿って前後に延びた螺旋溝を設け、該螺旋溝に遊嵌可能な突起を脚部に有したクリップ片の、該突起を螺旋溝に係合し、ノック体の押圧動作によりクリップ片が螺旋溝に従って回動可能に配設すると共に、筆記体の筆記部が突出状態で、クリップ片の先端部に布地等が進入できないよにするもので、クリップ片の先端部を隠蔽してしまう隠蔽手段を設ける。または、クリップ片が持ち上がらないように、クリップ片を収納する収納部を設ける。
【０００７】
筆記体出没装置におけるノック体とは、軸筒内にコイルスプリング等の弾性材により軸筒後端方向に弾発して収納した筆記体の筆記部を軸筒先端開口部より出没させるために、直に押圧の動作を加えて摺動する部材で、いわゆるノック棒とかノブと呼ばれているものである。本発明のノック式筆記具の筆記体出没装置は、カム機構やハ−トカム機構や係止型機構などノック体を押圧することにより、インキを収蔵したボールペンレフィルの筆記先端を出没させるノック式ボールペンに使用する公知の筆記体出没装置に利用することができる。
【０００８】
摺動部材とは、ノック体や押し棒など、筆記体の筆記部を軸筒先端開口部より出没させるために、押圧の動作を加えたときに前後方向に摺動する部材であれば良い。また、摺動部材に設ける螺旋溝は、軸筒の後端開口部より外方へ突出したノック体の押圧動作によりクリップ片が回動し、筆記体の筆記部が突出状態で、クリップ片の先端を布地等が進入できない手段を施した位置にくるように適宣設定すれば良い。
【０００９】
螺旋溝の後方端部を軸芯方向に沿って延びたストレ−ト部を有する構成とすることで、径方向への移動を規制し、クリップ片をもって回動させることによる、筆記体の筆記部の筒先端開口部からの出没を防止でき、ノック体を押圧しなければ筆記体の筆記部が軸筒先端開口部より出没しないようにすることができる。
【００１０】
螺旋溝を設けた摺動部材を軸筒の中心に対して偏心した位置に配設することにより、軸筒の径を大きくすることなく、クリップ片の先端に布地等を進入できない手段を施した位置にくる利点がある。
【００１１】
また、軸筒を楕円形やお結び型のように異形にすることにより、クリップ片の先端が布地を進入できない手段を施した位置にくる際に回動するストロ−ク量、すなわち回動角度が少なくできる利点がある。
【００１２】
またさらに、摺動部材を偏心させ、軸筒を異形にする組合せにより、クリップ片の先端が布地を進入できない手段を施した位置にくる際に回動するストロ−ク量、すなわち回動角度をより小さくことができる。
【００１３】
クリップ片を回動可能に配設するが、その方法は、特に限定されていないが、クリップ片にリング状の脚部をもうけるなどの、一般的な方法を適宣選択すれば良い。
【００１４】
カム機構型ノック式筆記具においては、従来より筆記体の筆記部が突出した状態でノック体または押し棒がガタ付くという問題があった。そのガタ付きを防止するために本実施例では、回転カムとノック体、押し棒とを回転体が回転可能に凹凸嵌合により付設してあるが、その方法は、固定ピンや他の方法による一般的な方法を適宣選択すれば良い。またさらに、付設することによりノック体が回転しないように、軸筒に軸芯方向にストレ−トに伸びた溝を設け、該溝に摺動可能な突部をノック体に設けてある。
【００１５】
【実施例】
本発明の実施例について、図面を用いて説明する。図面中、同一部材や同一箇所を示す場合には、同一の符号を付してある。
図１、図２、図３、図４及び図５に示した第１の実施例におけるノック式筆記具１は、軸筒２内に、インキを収蔵した筆記体３をコイルスプリング４により軸筒後端２ｂ方向に弾発して収納し、筆記体の後端には回転カム１３と、先端部にカム部を有した押し棒１４と、軸筒の内壁面に形成されたカム溝７とで構成された、公知の回転カム機構の筆記体出没装置を配設し、さらに押し棒１４の後端には、軸筒後端２ｂより外方へ突出し押圧時の押圧部となるノック体９を配設する。回転カム、押し棒、ノック体とを凹凸嵌合により、回転カムが回転可能に連接してある。さらに、ノック体９には切り溝３１に沿って摺動可能な突起３０を設けてあり、ノック体９が回転しないようにしてある。本ノック式筆記具は、ノック体９を押圧することにより、軸筒先端開口部２ａより筆記体の筆記部５を突出することができる。
【００１６】
ノック体９の外周面には、軸芯に沿って前後に延びた螺旋溝１０を設け、該螺旋溝１０は後方端部を軸芯方向に沿って延びたストレ−ト部１１を有してある。また、クリップ片１５の脚部１７をリング状に形成してノック体９の外周面上に遊嵌状に配設してあり、脚部１７の内壁面に内方へ突出した前記螺旋溝１０に遊嵌可能な突起１６を設け、該突起１６を螺旋溝１０に係合してノック体９の押圧動作によりクリップ片１５が螺旋溝１０に従って回動可能にするとともに、クリップ片の回転中心を軸筒の中心に対し偏心した位置に配設してある。ノック体９への押圧動作によるクリップ片１５が回動した位置には、クリップ片１５に対向した軸筒２の外周面に、切り欠き部１８を設けてあり、クリップ片１５が切り欠き部１８に係合することにより、クリップ片１５の先端部をポケット等の布（図示せず）が進入できないように隠蔽してある。
【００１７】
図６、７、８、及び図９に示した第２の実施例におけるノック式筆記具５１は、軸筒１２内に、第１の実施例と同様の公知の回転カム機構の筆記体出没装置を配設してある。押し棒２４の後端には、押し棒を押圧する軸筒後端１２ｂより外方へ突出し押圧時の押圧部となるノック体１９を配設してある。回転カム１３、押し棒２４、ノック体１９とを凹凸嵌合により、回転カム１３が回転可能に連接してあり、さらに、第１の実施例と同様に、ノック体１９には、軸筒１２に設けた切り溝３１に沿って摺動可能な突起３０を設けてあり、ノック体１９が回転しないようにしてある。
【００１８】
押し棒２４の外周面には、軸芯に沿って前後に延びた螺旋溝１０を設け、該螺旋溝１０は後方端部を軸芯方向に沿って延びたストレ−ト部１１を設けてある。また、クリップ片１５は、第１の実施例と同様に形成してあり、押し棒２４の外周面上に第１の実施例と同様にして回動可能に配設してある。ノック体１９への押圧動作によるクリップ片１５が回動した位置のクリップ片１５の先端の前方には、軸筒の外周面に設けた稜部５０を形成してあり、クリップ片１５の先端部を筆記体の筆記部５が突出状態で、軸筒の外周面に設けた稜部５０により、クリップ片１５の先端部をポケット等の布地（図示せず）が進入できないように隠蔽してある。
【００１９】
図１０、１１、及び図１２に示す第３の実施例は、クリップ片が持ち上がらないように、クリップ片または一部を収納する収納部を設けた実施例である。第１の実施例のノック式筆記具１において、ノック体９への押圧動作によるクリップ片１５が回動した位置の軸筒２の外周面に設けた切り欠き部１８に変えてクリップ片１５を収納する収納部４９を設けた以外は、第１の実施例と同様に構成してある。ノック体９の押圧作動に従ってクリップ片１５が回動し、筆記体の筆記部が突出状態時はクリップ片１５が収納部４９に没入するようにしてある。従って、クリップ片が１５が持ち上がらないので、クリップ片の先端部にポケット等の布地（図示せず）を進入することができない。
【００２０】
図１３及び図１４に示す第４の実施例は、クリップ片が持ち上がらないようにクリップ片の一部を収納する収納部を設けた実施例で、第３の実施例のノック式筆記具６１において、クリップ片１５の先端部に係合部６０を有したＴ字状の係合突部７０を設け、ノック体９への押圧動作によるクリップ片１５が回動した位置の前記係合突部７０に対向した軸筒２外周面に、前記係合部６０を嵌挿する収納部５９を設けてある。前記実施例と同様に、ノック体９の押圧動作に従ってクリップ片１５が回動し、筆記体の筆記部が突出状態時はクリップ片１５の係合突部７０の係子部６０が収納部５９に没入することにより、クリップ片１５が持ち上がらないのでクリップ片の先端部にポケット等の布地（図示せず）を進入することができない。
【００２１】
前記した実施例では、筆記体出没装置が回転カム機構によるノック式筆記具であるが、ハ−トカム機構や係止型機構に置き換えたり、また、前記した実施例を置き換えたり、組み合わせて使用できることは、公知の先行技術で容易である。
【００２２】
【発明の効果】
本発明のノック式筆記具は、前述したような構造なので、筆記体の筆記部が突出している状態では、クリップ片の先端部にポケット等の布地が進入できない。そのため、筆記部の突出状態でのポケット等への止着により、インクの滲み出によるポケット等の布地への汚損の心配が無くなる。また、低粘性インキや剪断減粘性インキ等を収蔵したボールペンレフィルを用いたノック式ボ−ルペンを提供することができる。さらに、本発明のノック式筆記具は特定のノック式機構を選ばないので、従来のカム機構や係止型機構を踏襲でき、さらにまた、簡単な構造でも設計、組立も容易であるので低価格のノック式筆記具として提供できる。
【図面の簡単な説明】
【図１】本発明の第１の実施例のノック式筆記具の要部縦断面図で、レフィ−ルの筆記先端を軸筒内に没入した状態を示す図である。
【図２】本発明の第１の実施例のノック式筆記具の要部縦断面図で、レフィ−ルの筆記先端を軸筒の先端開口部より突出した状態を示す図である。
【図３】図１におけるＡ−Ａ断面図である。
【図４】本発明の第１の実施例のノック式筆記具の一部斜視図で、レフィ−ルの筆記先端を軸筒内に没入した状態（クリップ片回動前）を示す図である。
【図５】本発明の第１の実施例のノック式筆記具の一部斜視図で、レフィ−ルの筆記先端を軸筒の先端開口部より突出した状態（クリップ片回動後）を示す図である。
【図６】本発明の第２の実施例のノック式筆記具の要部縦断面図で、レフィ−ルの筆記先端を軸筒内に没入した状態を示す図である。
【図７】図６におけるＢ−Ｂ断面図である。
【図８】本発明の第２の実施例のノック式筆記具の一部斜視図で、クリップ片回動前を示す図である。
【図９】本発明の第２の実施例のノック式筆記具の一部斜視図で、クリップ片回動後を示す図である。
【図１０】本発明の第３の実施例のノック式筆記具の要部横断面図である。
【図１１】本発明の第３の実施例のノック式筆記具の一部斜視図で、クリップ片回動前を示す図である。
【図１２】本発明の第３の実施例のノック式筆記具の一部斜視図で、クリップ片回動後を示す図である。
【図１３】本発明の第４の実施例のノック式筆記具の一部縦断面図で、クリップ片回動前を示す図である。
【図１４】本発明の第４の実施例のノック式筆記具の一部縦断面図で、クリップ片回動後を示す図である。
【符号の説明】
１、５１、６１、７１  ノック式筆記具
２、１２  軸筒
３  筆記体
４  コイルスプリング
５  筆記部
７  カム溝
９、１９  ノック体
１０  螺旋溝
１１  螺旋溝ストレ−ト部
１３  回転カム
１４、２４  押し棒
１５  クリップ片
１６  クリップ片の脚部突起
１７  クリップ脚部
１８  切り欠き部
３０  突部
３１  切り溝
４９、５９  収納部
５０  稜部
６０  係合部
７０  係合突部
【図１】
0003773314.tif 000002
【図２】
0003773314.tif 000003
【図３】
0003773314.tif 000004
【図４】
0003773314.tif 000005
【図５】
0003773314.tif 000006
【図６】
0003773314.tif 000007
【図７】
0003773314.tif 000008
【図８】
0003773314.tif 000009
【図９】
0003773314.tif 000010
【図１０】
0003773314.tif 000011
【図１１】
0003773314.tif 000012
【図１２】
0003773314.tif 000013
【図１３】
0003773314.tif 000014
【図１４】
0003773314.tif 000015